(57)【要約】      （修正有）【課題】マイナスイオンの空気を生成し、毛髪の水分を保持し、静電気が生じるのを防止すると同時に、殺菌消臭効果を有するマイナスイオンドライヤーを提供する。【解決手段】本考案のマイナスイオンドライヤーは、二つの半中空の殻体を結合させてなる外殻からなり、前後に、排気柵と吸気柵を設け、外殻内に、回路制御装置、発熱装置、モーター、ファン、マイナスイオン生成器、を有し、回路制御装置の制御により、モーターがファンを帯動して、旋転させ、空気は、吸気網から外殻に導入されると共に、発熱装置とマイナスイオン生成器により、マイナスイオンを帯びている熱風を形成して、排気柵から熱風を吹出する。【選択図】図１
0003116053.tif 000002
【実用新案登録請求の範囲】
【請求項１】
マイナスイオンドライヤーであって、二つの半中空の殻体を結合させてなる外殻からなり、前後に、排気柵と吸気柵を設け、前記外殻内に、回路制御装置、発熱装置、モーター、ファン、マイナスイオン生成器、を有し、前記回路制御装置の制御により、前記モーターが前記ファンを帯動して、旋転させ、空気は、前記吸気網から外殻に導入されると共に、前記発熱装置と前記マイナスイオン生成器により、マイナスイオンを帯びている熱風を形成して、前記排気柵から熱風を吹出することを特徴とするマイナスイオンドライヤー。
【請求項２】
前記発熱装置は、抵抗線を螺旋状に巻いた後、雲母片上に置いてなり、前記雲母片上に、回路と連通する電線を設け、前記発熱装置前端の雲母上に、マイナスイオン発射器を有することを特徴とする請求項１に記載のマイナスイオンドライヤー。
【請求項３】
前記発射器は、金属導電片で、前端は、針尖状になっていることを特徴とする請求項２に記載のマイナスイオンドライヤー。
【請求項４】
前記金属導電片は銅製の導電片であることを特徴とする請求項３に記載のマイナスイオンドライヤー。
【請求項５】
前記マイナスイオン生成器は、電子素子、及び、コネクタからなる回路で、合成樹脂を固化した後、中空のプラスチックケース内に装着されることを特徴とする請求項１に記載のマイナスイオンドライヤー。
【請求項６】
前記回路制御装置は、スイッチを設置し、マイナスイオンドライヤーの起動と停止を制御することを特徴とする請求項１に記載のマイナスイオンドライヤー。
【考案の詳細な説明】
【技術分野】
【０００１】
本考案は、マイナスイオンドライヤーに関するものであって、特に、マイナスイオンの空気を生成し、毛髪の水分を保持し、静電気が生じるのを防止すると同時に、殺菌消臭効果を有するドライヤーに関するものである。
【背景技術】
【０００２】
科学技術の発展に伴い、生活水準も向上し、人々の健康や衛生面に対する要求が増加しており、健康や美容に関する製品も非常に豊富になってきている。
【０００３】
従来のドライヤーは、髪を乾燥させるだけのものであって、その原理は、空気が発熱体を通過し、温度を上昇させて、その熱空気を濡れた毛髪上に吹きかけるものである。
【０００４】
市場中、多用途の製品が、消費における趨勢となり、それに、健康志向が加わって、消費者に提供されている。よって、本考案のマイナスイオンドライヤーは、その功能上、毛髪を乾燥させる功能以外に、マイナスイオンの空気を生成し、毛髪の水分を保持して、静電気が生じるのを防止し、同時に、たんすや靴棚などに使用して、除菌、消臭の効果を有する。
【考案の開示】
【考案が解決しようとする課題】
【０００５】
本考案は、マイナスイオンの空気を生成し、毛髪の水分を保持し、静電気が生じるのを防止すると同時に、殺菌消臭効果を有するドライヤーを提供することを目的とする。
【課題を解決するための手段】
【０００６】
上述の目的を達成するため、本考案のマイナスイオンドライヤーは、二つの半中空の殻体を結合させてなる外殻からなり、前後に、排気柵と吸気柵を設け、外殻内に、回路制御装置、発熱装置、モーター、ファン、マイナスイオン生成器、を有し、回路制御装置の制御により、モーターがファンを帯動して、旋転させ、空気は、吸気網から外殻に導入されると共に、発熱装置とマイナスイオン生成器により、マイナスイオンを帯びている熱風を形成して、排気柵から熱風を吹出する。
【考案の効果】
【０００７】
本考案により、マイナスイオンで、毛髪の水分を保持し、静電気が生じるのを防止すると同時に、殺菌消臭効果を提供する。
【考案を実施するための最良の形態】
【０００８】
図１〜図３は、本考案のマイナスイオンドライヤーの実施例を示す図である。二つの半中空の殻体１４を結合させてなる外殻１からなり、前後に、排気柵１１と吸気網１２を設け、外殻１内に、回路制御装置１０、発熱装置１５、モーター１６、ファン１７、マイナスイオン生成器１３、を有する。
【０００９】
発熱装置１５は、抵抗線１５１を螺旋状に巻いた後、雲母片１５２上に置いてなる。雲母片１５２上に、回路と連通する電線１５３を設け、発熱装置１５前端の雲母１５２上に、マイナスイオン発射器１５４を有し、発射器１５４は、金属導電片（銅からなる）を装着し、前端は、針尖状になっている。
【００１０】
マイナスイオン生成器１３は、電子素子、及び、コネクタからなる回路で、合成樹脂を固化した後、中空のプラスチックケース内に装着する。
【００１１】
使用時、回路制御装置１０上のスイッチ１０１を起動し、回路制御装置１０の制御により、モーター１６がファン１７を帯動して、旋転させ、空気は、吸気網１２から外殻１に導入されると共に、発熱装置１５とマイナスイオン生成器１３と銅製の発射器１５４により、マイナス電荷を帯びている空気中の酸素分子と微小の水分子を結合させてなるマイナスイオンの熱風を形成して、排気柵１１から熱風を吹出する。
【００１２】
本考案には、以下のような長所がある。
１．       
毛髪の水分を保持し、静電気の発生を防止する：マイナスイオン装置がないドライヤーを頭髪に吹出するとき、頭髪は乾燥してプラス電気を帯びやすいが、本考案のマイナスイオンドライヤーは、電暈放電原理により、排気口の中心部でマイナス電荷を帯びる空気中の酸素分子と微小の水分子を結合してなりマイナスイオンを生成し、マイナスイオンを、静電気の集合によりプラス電荷を帯びやすい頭髪上に吹出した後、頭髪上のプラス電気を中和し、これにより、髪質が最高の水分率で維持され、柔軟で、光沢を有し、湿度を保持し、まとまりやすい髪になる。
２．       
殺菌消臭効果を有する：本考案は、たんすや靴棚にしようでき、除菌消臭の効果を達成し、ペット上に用いて、殺菌消臭の効果を提供すると共に、ペットの毛髪をまとめやすくする。
３．       
本考案の金属導電片は、片状に設置され、雲母片上に固定しやすい。
【００１３】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１４】
【図１】本考案のマイナスイオンドライヤーの立体外観図である。
【図２】本考案の実施例によるマイナスイオンドライヤーの断面図である。
【図３】発熱装置とマイナスイオン生成器の局部拡大図である。
【符号の説明】
【００１５】
１…外殻
１０…回路制御装置
１０１…スイッチ
１１…排気柵
１２…吸気網
１３…マイナスイオン生成器
１４…殻体
１５…発熱装置
１５１…抵抗線
１５２…雲母片
１５３…電線
１５４…発射器
１６…モーター
１７…ファン
【図１】
0003116053.tif 000003
【図２】
0003116053.tif 000004
【図３】
0003116053.tif 000005